(57)【要約】【課題】インフラを共有しないフィールドにおいても、トレース情報を取得することができるトレース情報取得システムを提供する。【解決手段】トレース情報取得システムは、複数の段階を経て製造される製品に関するトレース情報を取得するトレース情報取得システムであって、製品に対して行なわれたイベントに関するイベントデータを記憶する記憶手段と、記憶手段により記憶されたイベントデータからトレース情報を取得する取得手段とを備える。ここで、イベントデータ１１は、イベントに関するモノデータ１２ａ、イベントに関する人データ１２ｂ、イベントに関する時点データ１２ｃ、イベントに関する位置データ１２ｄ、およびイベントに関する状態データ１２ｅを含み、複数の段階において、共通のデータ形式を有する。【選択図】図１
2010092365.tif 000002
【特許請求の範囲】
【請求項１】
複数の段階を経て製造される製品に関するトレース情報を取得するトレース情報取得システムであって、
製品に対して行なわれたイベントに関するイベントデータを記憶する記憶手段と、
前記記憶手段により記憶された前記イベントデータからトレース情報を取得する取得手段とを備え、
前記イベントデータは、前記複数の段階において、共通のデータ形式を有する、トレース情報取得システム。
【請求項２】
前記イベントデータは、前記イベントに関するモノデータ、前記イベントに関する人データ、前記イベントに関する時点データ、前記イベントに関する位置データ、および前記イベントに関する状態データを含む、請求項１に記載のトレース情報取得システム。
【請求項３】
前記記憶手段は、イベント発生で記憶されるべき業務活動の情報であるイベント活動データを記憶し、
前記取得手段は、前記記憶手段により記憶された前記イベント活動データからトレース情報を取得する、請求項１または２に記載のトレース情報取得システム。
【請求項４】
前記取得手段は、前記記憶手段により記憶された複数の前記イベントデータの中から、互いに関連付けられた複数の前記イベントデータを抽出する抽出手段を含む、請求項１〜３のいずれかに記載のトレース情報取得システム。
【請求項５】
前記抽出手段は、複数の前記イベントデータのうち、前記イベントに関する時点データにおいて時点が同じもの同士を、互いに関連付けられたイベントデータとして抽出する、請求項４に記載のトレース情報取得システム。
【請求項６】
前記記憶手段は、ＲＦＩＤタグを用いて前記イベントデータを記憶する、請求項１〜５のいずれかに記載のトレース情報取得システム。
【請求項７】
複数の段階を経て製造される製品に関するトレース情報を取得するトレース情報取得方法であって、
前記複数の段階において共通のデータ形式を有し、製品に対して行なわれたイベントに関するイベントデータを記憶する記憶ステップと、
前記記憶ステップにより記憶された前記イベントデータからトレース情報を取得する取得ステップとを備える、トレース情報取得方法。
【請求項８】
複数の段階を経て製造される製品に関するトレース情報を取得するトレース情報取得装置であって、
前記複数の段階において共通のデータ形式を有し、製品に対して行なわれたイベントに関するイベントデータを記憶する記憶部と、
前記記憶部により記憶された前記イベントデータからトレース情報を取得する取得部とを備える、トレース情報取得装置。
【請求項９】
コンピュータを、
複数の段階を経て製造される製品に関するトレース情報を取得するために、前記複数の段階において共通のデータ形式を有し、製品に対して行なわれたイベントに関するイベントデータを記憶する記憶手段、
および前記記憶手段により記憶された前記イベントデータからトレース情報を取得する取得手段として機能させるためのトレース情報取得プログラム。
【請求項１０】
請求項９に記載のトレース情報取得プログラムを記憶したコンピュータ読取可能な記憶媒体。
【発明の詳細な説明】
【技術分野】
【０００１】
この発明は、トレース情報取得システム、およびトレース情報取得方法に関するものであり、特に、複数の段階を経て製造される製品のトレース情報を取得するトレース情報取得システム、およびトレース情報取得方法に関するものである。
【背景技術】
【０００２】
昨今、製品の品質維持や品質向上等の観点から、複数の段階を経て製造される製品の製造工程を追跡可能とするトレーサビリティシステムの構築、すなわち、製品に対するトレース情報の取得システムの構築が求められている。製品のトレーサビリティに関する技術は、例えば、特開２００７−２４９３２６号公報（特許文献１）、および特開２００５−３４６２８０号公報（特許文献２）に開示されている。
【０００３】
特許文献１によると、隣接する複数の工程間において、各工程間の連携を関連付ける情報を記憶し、記憶された工程間関連情報を用いることにより、隣接する工程間に跨るトレース情報を取得することとしている。また、特許文献２によると、一連のプロセスからなるプロセスチェーンにおいて、製品のトレース情報の記憶先を示すポインタを記憶し、記憶されたポインタを用いて、製品のトレース情報を取得することとしている。
【特許文献１】特開２００７−２４９３２６号公報
【特許文献２】特開２００５−３４６２８０号公報
【発明の開示】
【発明が解決しようとする課題】
【０００４】
上記した特許文献１および特許文献２に示すトレーサビリティについては、工程間の連係に関する情報や記憶先を示すトレース情報ポインタを記憶することが必要である。すなわち、記憶された工程間の連係情報等を用いなければ、製品に関するトレース情報を得ることができない。そうすると、例えば、異なるサプライチェーンや、サプライチェーンを跨った範囲等、インフラを共有しない環境下におけるフィールドでは、工程間の連係情報等が記憶されていない場合もあり、トレース情報を得ることができない。すなわち、インフラを共有しないフィールドにおいては、トレース情報を取得することができない。
【０００５】
この発明の目的は、インフラを共有しないフィールドにおいても、トレース情報を取得することができるトレース情報取得システムを提供することである。
【０００６】
この発明の他の目的は、インフラを共有しないフィールドにおいても、トレース情報を取得することができるトレース情報取得方法を提供することである。
【０００７】
この発明のさらに他の目的は、インフラを共有しないフィールドにおいても、トレース情報を取得することができるトレース情報取得装置を提供することである。
【０００８】
この発明のさらに他の目的は、インフラを共有しないフィールドにおいても、トレース情報を取得することができるトレース情報取得プログラムを提供することである。
【０００９】
この発明のさらに他の目的は、インフラを共有しないフィールドにおいても、トレース情報を取得することができるトレース情報取得プログラムを記憶した記憶媒体を提供することである。
【課題を解決するための手段】
【００１０】
この発明に係るトレース情報取得システムは、複数の段階を経て製造される製品に関するトレース情報を取得するトレース情報取得システムであって、製品に対して行なわれたイベントに関するイベントデータを記憶する記憶手段と、記憶手段により記憶されたイベントデータからトレース情報を取得する取得手段とを備える。ここで、イベントデータは、複数の段階において、共通のデータ形式を有する。
【００１１】
このように、製品に対して行なわれたイベントに関するイベントデータが、複数の段階において共通のデータ形式を有するため、記憶されたイベントデータを基に、製品に対するトレース情報を取得することができる。そうすると、インフラとは無関係に複数の段階を経て製造される製品に関するトレース情報を取得することができ、例えば、複数の段階を経て製造される製品において、複数の段階を関連付けるデータを記憶することなく、製品に対するトレース情報を取得することができる。したがって、インフラを共有しないフィールドにおいても、トレース情報を取得することができる。
【００１２】
好ましくは、イベントデータは、イベントに関するモノデータ、イベントに関する人データ、イベントに関する時点データ、イベントに関する位置データ、およびイベントに関する状態データを含む。
【００１３】
さらに好ましくは、記憶手段は、イベント発生で記憶されるべき業務活動の情報であるイベント活動データを記憶し、取得手段は、記憶手段により記憶されたイベント活動データからトレース情報を取得する。
【００１４】
さらに好ましくは、取得手段は、記憶手段により記憶された複数のイベントデータの中から、互いに関連付けられた複数のイベントデータを抽出する抽出手段を含む。
【００１５】
また、抽出手段は、複数のイベントデータのうち、イベントに関する時点データにおいて時点が同じもの同士を、互いに関連付けられたイベントデータとして抽出するようにしてもよい。
【００１６】
さらに好ましい一実施形態として、記憶手段は、ＲＦＩＤ（Ｒａｄｉｏ  Ｆｒｅｑｕｅｎｃｙ  Ｉｄｅｎｔｉｆｉｃａｔｉｏｎ）タグを用いてイベントデータを記憶する。
【００１７】
この発明の他の局面において、トレース情報取得方法は、複数の段階を経て製造される製品に関するトレース情報を取得するトレース情報取得方法であって、複数の段階において共通のデータ形式を有し、製品に対して行なわれたイベントに関するイベントデータを記憶する記憶ステップと、記憶ステップにより記憶されたイベントデータからトレース情報を取得する取得ステップとを備える。
【００１８】
この発明のさらに他の局面において、トレース情報取得装置は、複数の段階を経て製造される製品に関するトレース情報を取得するトレース情報取得装置であって、複数の段階において共通のデータ形式を有し、製品に対して行なわれたイベントに関するイベントデータを記憶する記憶部と、記憶部により記憶されたイベントデータからトレース情報を取得する取得部とを備える。
【００１９】
この発明のさらに他の局面において、トレース情報取得プログラムは、コンピュータを、複数の段階を経て製造される製品に関するトレース情報を取得するために、複数の段階において共通のデータ形式を有し、製品に対して行なわれたイベントに関するイベントデータを記憶する記憶手段、および記憶手段により記憶されたイベントデータからトレース情報を取得する取得手段として機能させるためのトレース情報取得プログラムである。
【００２０】
この発明のさらに他の局面において、記憶媒体は、上記したトレース情報取得プログラムを記憶したコンピュータ読取可能な記憶媒体である。
【発明の効果】
【００２１】
このようなトレース情報取得システムによると、製品に対して行なわれたイベントに関するイベントデータが、複数の段階において共通のデータ形式を有するため、記憶されたイベントデータを基に、製品に対するトレース情報を取得することができる。そうすると、インフラとは無関係に複数の段階を経て製造される製品に関するトレース情報を取得することができ、例えば、複数の段階を経て製造される製品において、複数の段階を関連付けるデータを記憶することなく、製品に対するトレース情報を取得することができる。したがって、インフラを共有しないフィールドにおいても、トレース情報を取得することができる。
【００２２】
また、このようなトレース情報取得方法、トレース情報取得装置、トレース情報取得プログラムおよび記憶媒体についても、インフラとは無関係に複数の段階を経て製造される製品に関するトレース情報を取得することができ、例えば、複数の段階を経て製造される製品において、複数の段階を関連付けるデータを記憶することなく、製品に対するトレース情報を取得することができる。したがって、インフラを共有しないフィールドにおいても、トレース情報を取得することができる。
【発明を実施するための最良の形態】
【００２３】
以下、この発明の実施の形態を、図面を参照して説明する。まず、この発明の一実施形態に係るトレース情報取得システムで用いられるイベントデータについて説明する。図１は、イベントデータのデータ形式を示す概念図である。図１を参照して、イベントデータ１１は、製品に対して行なわれたイベントに関するデータであって、製品を製造する際の複数の段階において、共通のデータ形式を有する。イベントデータ１１は、イベントに関するセンシング対象のモノの情報であるモノデータ１２ａ、イベントに関する人の情報である人データ１２ｂ、イベントに関する時間の情報である時点データ１２ｃ、イベントに関する場所の情報である位置データ１２ｄ、およびイベントに関する状態の情報である状態データ１２ｅを含む。モノデータ１２ａ、人データ１２ｂ、時点データ１２ｃ、および位置データ１２ｄはそれぞれ、状態データ１２ｅによって繋がっている概念である。
【００２４】
次に、イベント活動データ１３について説明する。イベント活動データ１３とは、イベント発生で記憶されるべき業務活動の情報、例えば、生産数量や部品消費量等のデータをいう。イベント活動データ１３は、フィールドごとのイベントの属性に従ったデータ項目となる。例えば、イベント活動データ１３における生産数量データ１４ａのうち、「製品ＩＤ」はモノデータ、「時点」は時点データとなる。「容器ＩＤ」、「良品数」、「廃棄数」は、現場入力／取得情報となる。また、搬入出データ１４ｂのうち、「ゲートＩＤ」は位置データ、「コンテナＩＤ」はモノデータ、「時点」は時点データ、「キャリア」は現場入力／取得情報となる。作業日報データ１４ｃのうち、「作業者ＩＤ」は人データ、「時点」は時点データ、「日報」は現場入力／取得情報となる。環境データ１４ｄのうち、「施設ＩＤ」は位置データ、「時点」は時点データ、「気温」、「湿度」は現場入力／取得情報となる。電力量データ１４ｅのうち、「電力計ＩＤ」は位置データ、「時点」は時点データ、「電力」は現場入力／取得情報となる。イベント活動データとイベントデータとは、１：１で対応付けが可能な最小項目で結合される。なお、図１においてイベント活動データのうち、モノデータ等、同じ項目のものは、同じハッチングで示している。
【００２５】
図２は、この発明の一実施形態に係るトレース情報取得システムのハードウェア構成を示すシステム構成図である。図１および図２を参照して、トレース情報取得システム２１は、イベントデータやイベント活動データ、複数のイベントデータやイベント活動データを記憶したイベントデータマスタ等、種々のデータを記憶可能であるサーバ２２と、既存システムを構築し、生産管理系データや工程マスタ、ＢＯＭ（Ｂｕｉｌｄ  Ｏｆ  Ｍａｔｅｒｉａｌ）マスタを記憶したサーバ２３と、イベントデータ等のデータを入力させるコンピュータ２４ａ、２４ｂ、２４ｃ、２４ｄと、イベントデータをそのまま入力可能なセンサーデバイス２５ａと、コンピュータ２４ｃを介してイベントデータを入力可能なセンサーデバイス２５ｂと、サーバ２２、２３、コンピュータ２４ａ〜２４ｄを接続する接続線２６とを備える。サーバ２２は、製品に対して行なわれたイベントに関するイベントデータを記憶する記憶手段と、記憶手段により記憶されたイベントデータからトレース情報を取得する取得手段とを備える。ここで、コンピュータ２４ｃは、センサーデバイス２５ｂに対して、デバイス設定インターフェースとして機能する。また、トレース情報取得システム２１は、製品と離隔した状態でイベントデータを入出力可能なＲＦＩＤタグシステム２７を含む。ＲＦＩＤタグシステム２７は、コンピュータ２４ｄ側に設けられたリーダライタ２８ａと、リーダライタ２８ａによりデータの読書き、すなわち、データの入出力が可能であり、製品２９に取り付けられたＲＦＩＤタグ２８ｂとを備える。ここで、コンピュータ２４ｄは、ＲＦＩＤタグシステム２７に対して、外部記憶データインターフェースとして機能する。
【００２６】
なお、サーバ２２とサーバ２３は１台のサーバで実現しても構わない。また、接続線２６は、有線によるものに限定されず、一部または全部を無線で実現しても構わない。また、コンピュータ２４ａ〜２４ｄは４台に限定されず、最低１台以上あればよく、何台でも構わない。また、センサーデバイス２５ａ、２５ｂ、およびＲＦＩＤタグシステム２７は、含まなくともよいし、それぞれを２台以上含んでいてもよい。
【００２７】
ここで、製品のイベントに対するイベントデータを記憶する方法について説明する。図３は、イベントデータを記憶する場合の動作の流れを示すフローチャートである。図４は、この発明の一実施形態に係るトレース情報取得システムのブロック図である。図１〜図４を参照して、まず、デバイス機器によるイベントセンシングタイプのイベントデータの記憶方法について説明する。なお、イベントセンシングタイプのイベントデータの記憶方法とは、例えば、図２に示すシステム構成図のセンサーデバイス２５ａやセンサーデバイス２５ｂのようなセンサーデバイスにより直接イベントデータを取得して記憶する方法を指す。
【００２８】
まず、コンピュータ２４ｃのデバイス設定インターフェースにおいて、センサーデバイス（デバイス機器）２５ｂから、データを読取る（図３において、ステップＳ１１、以下、ステップを省略する）。次に、コンピュータ２４ｃにおけるインターフェースロジックによって、上記した構成のイベントデータを作成する（Ｓ１２）。その後、コンピュータ２４ｃにおけるインターフェースロジックによって、上記した構成のイベント活動データを作成する（Ｓ１３）。次に、サーバ２２に記憶されているイベントデータマスタのデータベースを更新する（Ｓ１４）。ここでは、テーブルマスタ、状態マスタ、位置マスタ、モノマスタ、および人マスタから構成されるイベントデータマスタの更新を行なう。すなわち、各マスタに、新たなイベントデータを記憶する。
【００２９】
ここで、イベントデータマスタは、各イベントデータのデータと内容を対応付けるためのマスタである。例えば、人データであれば、データ自体は数字やアルファベット等の単純な記号で記憶されている。この記号と、実際の作業者の氏名や所属等の情報の対応付けが記憶されているマスタがイベントデータマスタ内の人マスタである。状態マスタ、位置マスタ、モノマスタについても同様である。また、テーブルマスタは、製品イベントデータ、部品イベントデータ等の種々のデータベースに対応するマスタである。なお、時点データについては、それ自体が年月日、日時のデータであり、別の情報と対応付けは不要なので、マスタは存在しない。
【００３０】
次に、既存システムによるデータトランスファタイプのイベントデータの記憶方法について説明する。なお、データトランスファタイプのイベントデータの記憶方法とは、例えば、図２に示すシステム構成図のサーバ２３のような既存システムの記憶装置に記憶されたデータを読取り、イベントデータへ変換して記憶する方法、およびシステム構成図に示すＲＦＩＤタグ２８ｂのような外部記憶媒体に記憶されたデータを読取り、イベントデータへ変換して記憶する方法を指す。
【００３１】
まず、サーバ２２において、既存システムを構築する生産管理系のサーバ２３から、データを読取る（Ｓ２１）。次に、サーバ２２の既存システムインターフェースにおけるインターフェースロジックによって、イベントデータおよびイベント活動データを作成する（Ｓ２２、Ｓ２３）。次に、サーバ２２に記憶されているイベントデータマスタのデータベースを更新する（Ｓ２４）。
【００３２】
次に、外部記憶データによるデータトランスファタイプのイベントデータの記憶方法について説明する。コンピュータ２４ｄにおいて、ＲＦＩＤタグシステム２７により、データを読取る（Ｓ３１）。具体的には、製品２９に取り付けられたＲＦＩＤタグ２８ｂから、リーダライタ２８ａにより外部システム記憶データを読取り、コンピュータ２４ｄに入力する。次に、コンピュータ２４ｄの外部記憶データインターフェースにおけるインターフェースロジックによって、イベントデータおよびイベント活動データを作成する（Ｓ３２、Ｓ３３）。次に、サーバ２２に記憶されているイベントデータマスタのデータベースを更新する（Ｓ３４）。
【００３３】
上記のようにして、種々のデータ、具体的には、デバイス機器によるイベントセンシングタイプのデータ、既存システムによるデータトランスファタイプのデータ、および外部記憶データによるデータトランスファタイプのデータのイベントデータおよびイベント活動データを生成し、データベースの更新を行なう。
【００３４】
なお、図４に示すように、イベントデータに基づいて予め種々のデータベースを構築することとしてもよい。具体的には、複数の段階において、記憶された製品に関する製品イベントデータおよび製品イベント活動データ、部品に関する部品イベントデータおよび部品イベント活動データ、装填に関する装填イベントデータおよび装填イベント活動データ、調達に関する調達イベントデータおよび調達イベント活動データ、出荷に関する出荷イベントデータおよび出荷イベント活動データ、静脈に関する静脈イベントデータおよび静脈イベント活動データを構築する。なお、静脈イベントとは、製品の生産過程ではなく、回収、分解、リユースおよびリサイクルに関するイベントである。こうすることにより、後述するトレース情報の取得が、より適切なものになると共に、トレース情報の取得が効率的になる。
【００３５】
次に、イベントデータを用いて、製品のトレース情報を取得する方法について説明する。図５は、製品のトレース情報を取得する場合の処理の流れを示すフローチャートである。図１〜図５を参照して、トレーシングエージェントとしてトレース情報を取得する対象となる製品の情報がサーバ２２に入力されると（Ｓ４１）、まず、複数の段階を経て製造された製品のイベントデータを抽出する（Ｓ４２）。ここで、サーバ２２に含まれる取得手段は、記憶手段により記憶された複数のイベントデータの中から、互いに関連付けられた複数のイベントデータを抽出する抽出手段を含む。ここでいう製品のイベントデータは、いわゆる製品のフットプリント情報（足跡情報）であり、どのような工程で製造されたかを示すデータである。
【００３６】
次に、抽出した製品のイベントデータを基に、具体的には、イベントデータのうちの時点データおよび位置（場所）データを基に、同時発生、すなわち、同じ時点データおよび同じ位置データを有する部品イベントを抽出する（Ｓ４３）。ここで、抽出手段は、複数のイベントデータのうち、イベントに関する時点データにおいて時点が同じもの同士を、互いに関連付けられたイベントデータとして抽出する。同様に、抽出した製品のイベントデータを基に、部品容器装着イベントを抽出し（Ｓ４４）、さらに、抽出した部品容器装着イベントから部品容器イベントをさらに抽出し（Ｓ４５）、抽出した部品容器イベントから部品イベントを抽出する（Ｓ４６）。そして、Ｓ４３において抽出した部品イベントおよびＳ４４〜Ｓ４６において抽出した部品容器装着イベント、部品容器イベント、および部品イベントにより、工程マスタやＢＯＭマスタによるＢＯＭ情報より情報の妥当性を検討した後（Ｓ４７）、関連イベントの調達イベントを抽出する（Ｓ４８）。なお、工程マスタやＢＯＭマスタによる情報の妥当性を検討するステップは、任意に行なわれる。
【００３７】
また、Ｓ４２において、製品イベント情報を抽出した後、部品イベントの抽出と共に梱包出荷イベントを抽出し（Ｓ４９）、さらに、製品出荷の出荷イベントを抽出する（Ｓ５０）。同様に、Ｓ４２において、製品イベント情報を抽出した後、部品イベントの抽出と共に分解品イベントを抽出し（Ｓ５１）、さらに、分解品の再利用イベントを抽出する（Ｓ５２）。
【００３８】
このようにして、イベントデータにより、トレース情報、具体的には、製品に対する関連部品に関する情報や部品情報、容器や出荷、再利用に関する情報を取得する。このようなトレース情報取得システムによると、製品に対して行なわれたイベントに関するイベントデータが、複数の段階において共通のデータ形式を有するため、記憶されたイベントデータを基に、製品に対するトレース情報を取得することができる。そうすると、インフラとは無関係に複数の段階を経て製造される製品に関するトレース情報を取得することができ、例えば、複数の段階を経て製造される製品において、複数の段階を関連付けるデータを記憶することなく、製品に対するトレース情報を取得することができる。したがって、インフラを共有しないフィールドにおいても、トレース情報を取得することができる。
【００３９】
すなわち、トレース情報取得システムは、トレース対象である製品のライフサイクルにおけるプロセスを、その開始と終了のイベントデータとして記憶する。そして、同時にその製品のライフサイクルプロセスにおいて、同じ場所で同時発生した部品、部材消費や梱包出荷のイベントデータも同様に記憶する。イベントの同時性により生産に使われたその製品用の部品、部材の関連付け、および使用部品、部材の入荷プロセスと製品の出荷プロセスとも関連付けられ、部品、部材の調達から生産、さらに出荷のトレース情報を取得できる。また、生産過程だけではなく、回収、分解、リユース、リサイクルといった静脈イベントについても、同時性により関連付けが可能となる。この場合、イベントデータは、複数の段階において、共通のデータ形式を有するため、このようなトレース情報の取得が可能になる。
【００４０】
なお、トレース情報の表現として製品ライフサイクルフットプリントとカーボンフットプリントとがある。一製品は調達、生産、使用、回収、分解、リユース、リサイクルに跨ってその存在の形跡を持っており、その形跡と軌跡を製品ライフサイクルフットプリントと呼ぶ。さらに、それぞれの形跡において排出されたＣＯ２（二酸化炭素）の量を記憶することによって、製品ライフサイクルフットプリントにおけるＣＯ２排出の軌跡が描かれ、これをカーボンフットプリントと呼ぶ。
【００４１】
また、この発明に係るトレース情報取得方法は、複数の段階を経て製造される製品に関するトレース情報を取得するトレース情報取得方法であって、複数の段階において共通のデータ形式を有し、製品に対して行なわれたイベントに関するイベントデータを記憶する記憶ステップと、記憶ステップにより記憶されたイベントデータからトレース情報を取得する取得ステップとを備える。
【００４２】
また、この発明に係るトレース情報取得装置は、複数の段階を経て製造される製品に関するトレース情報を取得するトレース情報取得装置であって、複数の段階において共通のデータ形式を有し、製品に対して行なわれたイベントに関するイベントデータを記憶する記憶部と、記憶部により記憶されたイベントデータからトレース情報を取得する取得部とを備える。ここで、トレース情報取得装置には、上記した図２におけるサーバ２２が該当する。
【００４３】
また、この発明に係るトレース情報取得プログラムは、コンピュータを、複数の段階を経て製造される製品に関するトレース情報を取得するために、複数の段階において共通のデータ形式を有し、製品に対して行なわれたイベントに関するイベントデータを記憶する記憶手段、および記憶手段により記憶されたイベントデータからトレース情報を取得する取得手段として機能させるためのトレース情報取得プログラムである。
【００４４】
また、この発明に係る記憶媒体は、上記したトレース情報取得プログラムを記憶したコンピュータ読取可能な記憶媒体である。
【００４５】
ここで、この発明に係るトレース情報取得システムの一実施例について説明する。図６は、組付け部品リールを装着した部品実装機を用いて製品の実装作業を行なう場合のイベントデータの一例を示す図である。図７は、図６に示す場合において、イベントデータの関連付けを示す図である。図６および図７を参照して、リール交換に関しては、トリガーを「セット完了」とするリールセットというイベント、すなわち、「部品テープをリールにセットする」というイベント、トリガーを「装着完了」とするリール着脱というイベント、すなわち、「リールを部品実装機に着脱する」というイベント、およびトリガーを「取外完了」とするリール着脱というイベントが発生する。これらのイベントに対し、図６に示すようなイベントデータが記憶される。具体的には、トリガーを「セット完了」とする「リールセット」というイベントに対し、モノデータとしての「部品ロット３」、人データしての「作業者Ｂ」、位置（設備）データとしての「リール２」、時間データとしての「８：５０」、状態データとしての「正常終了」が記憶される。これは、すなわち、作業者Ｂが、時間８：５０に、部品ロット３をリール２に正常にセットした、ということを意味している。同様に、トリガーを「装着完了」とする「リール着脱」というイベントに対し、モノデータとしての「装着リール２」、人データしての「作業者Ｃ」、位置（設備）データとしての「実装機４」、時間データとしての「８：５５」、状態データとしての「正常装着」が記憶される。これは、すなわち、作業者Ｃが時間８：５５に、リール２を実装機４に正常に装着した、ということを意味している。また、同様に、トリガーを「取外完了」とする「リール着脱」というイベントに対し、モノデータとしての「装着リール２」、人データしての「作業者Ｃ」、位置（設備）データとしての「実装機４」、時間データとしての「１０：００」、状態データとしての「正常装着」が記憶される。これは、すなわち、作業者Ｃが、時間１０：００に、リール２を実装機４から正常に取り外した、ということを意味している。
【００４６】
一方、実装に関しては、トリガーを「作業着手」とする「実装機」イベント、およびトリガーを「作業完了」とする「実装機」イベントが発生する。そして、図６に示すように、「実装機」というイベントに対し、「作業着手」というトリガー、そして、モノデータとしての「製品オーダ１」、人データしての「作業者Ｄ」、位置（設備）データとしての「実装機４」、時間データとしての「９：００」、状態データとしての「正常開始」が記憶される。これは、すなわち、作業者Ｄが、時間９：００に、実装機４で製品オーダ１の実装作業を正常に開始した、ということを意味している。また、「実装機」というイベントに対し、「作業完了」というトリガー、そして、モノデータとしての「製品オーダ１」、人データしての「作業者Ｄ」、位置（設備）データとしての「実装機４」、時間データとしての「９：４５」、状態データとしての「正常終了」が記憶される。これは、すなわち、作業者Ｄが、時間９：４５に、実装機４で製品オーダ１の実装作業を正常に終了した、ということを意味している。
【００４７】
そして、トレース情報の取得により、図７中の点線で示すトレース情報の関連付けがなされる。すなわち、実装機４に関するイベントデータにおいて、モノデータは、「製品オーダ１」である。また、リール着脱に関するイベントデータにおいて、位置データとしては、「実装機４」である。さらに、リール着脱に関するイベントデータにおいて、モノデータとしては、「装着リール２」であり、リールセットイベントにおいては、位置データとして「リール２」である。
【００４８】
そうすると、図７に示すように、部品ロット３と製品オーダ１の関連付けを直接記憶しておかなくても、実装機４および装着リール２を介したイベントデータにより、部品ロット３と製品オーダ１とのトレース情報の関連付けを行うことができる。
【００４９】
ここで、他の実施例として製造工程におけるイベントデータについて、さらに説明する。図８は、製品オーダから出荷までの製造工程におけるイベントデータの一例を示す図である。図８を参照して、製造工程においては、製品オーダに対応して部品を在庫から選び出すピッキング工程、ピッキングされた部品を組立作業者が作業を行ないやすいように配置するキッティング工程、リール交換工程、配当工程、実装工程、検査工程、積荷工程がある。そして、ピッキング工程の前に発生するイベントとして、トリガーをセット完了とするオーダ登録イベントがある。これら各工程において発生したイベントに対し、それぞれ、イベントデータ、すなわち、モノデータ、人データ、位置データ、時間データ、および状態データを記憶する。そして、記憶されたイベントデータからトレース情報を取得する。
【００５０】
以上より、このようなトレース情報取得システムによると、インフラとは無関係に複数の段階を経て製造される製品に関するトレース情報を取得することができ、例えば、複数の段階を経て製造される製品において、複数の段階を関連付けるデータを記憶することなく、製品に対するトレース情報を取得することができる。したがって、インフラを共有しないフィールドにおいても、トレース情報を取得することができる。
【００５１】
また、このようなトレース情報取得方法、トレース情報取得装置、トレース情報取得プログラムおよび記憶媒体についても、インフラとは無関係に複数の段階を経て製造される製品に関するトレース情報を取得することができ、例えば、複数の段階を経て製造される製品において、複数の段階を関連付けるデータを記憶することなく、製品に対するトレース情報を取得することができる。したがって、インフラを共有しないフィールドにおいても、トレース情報を取得することができる。
【００５２】
なお、上記の実施の形態においては、イベントデータおよびイベント活動データからトレース情報を取得することとしたが、これに限らず、イベントデータのみを記憶し、記憶したイベントデータからトレース情報を取得するよう構成してもよい。
【００５３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５４】
この発明に係るトレース情報取得システム、トレース情報取得方法、トレース情報取得装置、トレース情報取得プログラムおよび記憶媒体は、インフラを共有しない環境において、適切にトレース情報を取得する必要がある場合に、有効に利用される。
【図面の簡単な説明】
【００５５】
【図１】イベントデータを示す概念図である。
【図２】この発明の一実施形態に係るトレース情報取得システムのハードウェア構成を示すシステム構成図である。
【図３】イベントデータを記憶する場合の動作の流れを示すフローチャートである。
【図４】この発明の一実施形態に係るトレース情報取得システムのブロック図である。
【図５】製品のトレース情報を取得する場合の処理の流れを示すフローチャートである。
【図６】組付け部品リールを装着した部品実装機を用いて製品の実装作業を行なう場合のイベントデータの一例を示す図である。
【図７】図６に示す場合において、イベントデータの関連付けを示す図である。
【図８】製品オーダから出荷までの製造工程におけるイベントデータの一例を示す図である。
【符号の説明】
【００５６】
１１  イベントデータ、１２ａ  モノデータ、１２ｂ  人データ、１２ｃ  時点データ、１２ｄ  位置データ、１２ｅ  状態データ、１３  イベント活動データ、１４ａ  生産数量データ、１４ｂ  搬入出データ、１４ｃ  作業日報データ、１４ｄ  環境データ、１４ｅ  電力量データ、２１  トレース情報取得システム、２２，２３  サーバ、２４ａ，２４ｂ，２４ｃ，２４ｄ  コンピュータ、２５ａ，２５ｂ  センサーデバイス、２６  接続線、２７  ＲＦＩＤタグシステム、２８ａ  リーダライタ、２８ｂ  ＲＦＩＤタグ、２９  製品。
【図１】
2010092365.tif 000003
【図２】
2010092365.tif 000004
【図３】
2010092365.tif 000005
【図４】
2010092365.tif 000006
【図５】
2010092365.tif 000007
【図６】
2010092365.tif 000008
【図７】
2010092365.tif 000009
【図８】
2010092365.tif 000010